(57)【要約】      （修正有）【課題】授乳期の婦人の基礎代謝量を簡便に、且つ、個人差を加味して測定することが可能な基礎代謝量測定システム。【解決手段】本発明は、被測定者の年齢データ取得手段と、除脂肪量データ取得手段と、除脂肪量データと年齢データとに基づいて算出する基礎代謝量データ算出手段とを備える基礎代謝量測定システムであって、被測定者が授乳期にある場合に授乳前後の体重変化量データ取得手段と、体重変化量データに基づいて１日あたりの母乳の泌乳量データ算出手段と、母乳を産出するために代謝されるエネルギー量データを算出する泌乳代謝量データ算出手段とを備え、基礎代謝量データ算出手段が、被測定者が授乳期にある場合、除脂肪量データと年齢データとに基づいて算出された被測定者の基礎代謝量データに、母乳を産出するために代謝されるエネルギー量データを加算して得られるデータを、被測定者の基礎代謝量データとする。【選択図】  図４
2006304944.tif 000002
【特許請求の範囲】
【請求項１】
被測定者の年齢データを取得する年齢データ取得手段と、被測定者の除脂肪量データを取得する除脂肪量データ取得手段と、少なくともこれら除脂肪量データと年齢データとに基づいて被測定者の基礎代謝量データを算出する基礎代謝量データ算出手段とを備えてなる基礎代謝量測定システムであって、
被測定者が授乳期にある場合に授乳前後の体重変化量データを取得する体重変化量データ取得手段と、取得された体重変化量データに基づいて１日あたりの母乳の分泌量データを算出する泌乳量データ算出手段と、算出された泌乳量データに基づいて母乳を産出するために代謝されるエネルギー量データを算出する泌乳代謝量データ算出手段とを更に備え、
前記基礎代謝量データ算出手段が、被測定者が授乳期にある場合、少なくとも除脂肪量データと年齢データとに基づいて算出された被測定者の基礎代謝量データに、前記泌乳代謝量データ算出手段で算出された母乳を産出するために代謝されるエネルギー量データを加算して得られるデータを、被測定者の基礎代謝量データとすることを特徴とする基礎代謝量測定システム。
【請求項２】
請求項１に記載の基礎代謝量測定システムであって、
被測定者が授乳期にある場合に１日の授乳回数データを取得する授乳回数データ取得手段を更に備え、
前記泌乳量データ算出手段が、前記体重変化量データ取得手段で取得された体重変化量データと、前記授乳回数データ取得手段で取得された授乳回数データとに基づいて、１日あたりの母乳の分泌量データを算出することを特徴とする基礎代謝量測定システム。
【請求項３】
請求項１又は２に記載の基礎代謝量測定システムであって、
前記体重変化量データ取得手段が、被測定者の体重データを取得する体重データ取得手段と、被測定者が授乳前である場合に前記体重データ取得手段で取得された体重データを保存する授乳前体重データ保存手段と、被測定者が授乳後である場合に前記体重データ取得手段で取得された体重データと前記授乳前体重データ保存手段に保存されている体重データとに基づいて授乳前後の体重変化量データを算出する体重変化量データ算出手段とを含んでなることを特徴とする基礎代謝量測定システム。
【請求項４】
請求項１乃至３に記載の基礎代謝量測定システムであって、
前記除脂肪量データ取得手段が、被測定者の身長データを取得する身長データ取得手段と、被測定者の体重データを取得する体重データ取得手段と、被測定者の生体電気インピーダンスデータを取得するインピーダンスデータ取得手段と、少なくともこれら身長データと体重データとインピーダンスデータとに基づいて被測定者の除脂肪量データを算出する除脂肪量データ算出手段とを含んでなることを特徴とする基礎代謝量測定システム。
【発明の詳細な説明】
【技術分野】
【０００１】
本発明は、被測定者の除脂肪量データと年齢データとに基づいて基礎代謝量を算出し得る基礎代謝量測定システムに関し、特に被測定者が授乳期にある場合においてもその基礎代謝量を算出し得る基礎代謝量測定システムに関する。
【背景技術】
【０００２】
被測定者の基礎代謝量を正確に測定するためには、呼気分析計等の大掛かりな装置が必要となる。呼気分析計を用いた基礎代謝量測定では、被測定者はマスクやマウスピースを着用して長時間安静を保たなければならず、被測定者に掛かる負担が大きい。また、斯かる装置の操作や測定結果の評価には、専門家を必要とする。
【０００３】
そこで、厚生労働省からは、例えば非特許文献１に示される如く、統計学的に標準的な基礎代謝量が算出できるよう、性別及び年齢に基づく基礎代謝基準値に体重を乗算することで得られる基礎代謝量が提示されており、基礎代謝量の簡便な推定に用いられている。
【０００４】
また、授乳期の婦人について、非特許文献２には、母乳中に含まれるエネルギー量が平均０．６５ｋｃａｌ／ｍｌであること、乳汁を産生するためのエネルギー効率が約８０％であること、妊娠中に蓄積された脂肪量（平均約３ｋｇ）を産後６ヶ月程度で消費して妊娠前の体重に戻すためには１日あたり平均１５０ｋｃａｌを消費すべきであること等が開示されている。
【０００５】
更に、基礎代謝量に生活活動強度指数を掛け合わせることで求められる１日あたりのエネルギー所要量について、前掲非特許文献１では、授乳期には通常期に比して１日あたり６００ｋｃａｌのエネルギーを付加すべきである旨が開示されている。
【０００６】
一方、本願出願人の下では、被測定者の除脂肪量や年齢に基づいてその基礎代謝量を簡便に算出し得る方法及び装置が開発されて実用に供されると共に、特許文献１及び２の如く、特許出願もなされている。
【０００７】
尚、特許文献１及び２に開示された基礎代謝量の演算方法及び測定装置は、例えば特許文献３及び４に開示された如き所謂生体電気インピーダンス法を用いた体脂肪計や体組成計に組込まれて実用化されており、斯かる生体電気インピーダンス法に基づいて測定される除脂肪量を重要なパラメータとする推定式によって、被測定者の基礎代謝量が算出されるものである。
【０００８】
【非特許文献１】健康・栄養情報研究会編「第六次改訂  日本人の栄養所要量  食事摂取基準」第一出版株式会社、平成１１年９月１０日、ｐ．３５−３６
【非特許文献２】澤倫太郎、荒木勤著「授乳婦における栄養指導  ２ 授乳における栄養喪失とその補充」、一條元彦編「ＭＥＤＩＣＵＳ  ＬＩＢＲＡＲＹ  ５  母子にすすめる栄養指導」株式会社メディカ出版、１９９７年４月１５日、ｐ．１１８−１１９
【特許文献１】特開２００２−１１２９８２号公報
【特許文献２】特開２００２−１７２０９９号公報
【特許文献３】特公平５−４９０５０号公報
【特許文献４】特許第２８３５６６２号公報
【発明の開示】
【発明が解決しようとする課題】
【０００９】
授乳期にある婦人の基礎代謝量は、妊娠期や授乳期でない通常期の基礎代謝量に対して、母乳の分泌によって喪失される分のエネルギー量（換言すれば、母乳を産出するために代謝されるエネルギー量）が付加されるべきである。この点につき、前掲非特許文献２では、母乳の１日あたりの平均分泌量を８５０ｍｌとし、母乳中に含まれるエネルギー量（０．６５ｋｃａｌ／ｍｌ）や乳汁を産生するためのエネルギー効率（約８０％）等を考慮して、乳汁分泌によって喪失されるエネルギー量を約６９０ｋｃａｌと算出している。しかしながら、母乳の分泌量には当然に個人差があるため、斯かるエネルギー量（６９０ｋｃａｌ）では付加量として過大な人も過少な人も出てしまう。
【００１０】
また、授乳期にある婦人の１日あたりのエネルギー所要量について、前掲非特許文献１では、当該婦人の基礎代謝量に生活活動強度指数を掛け合わせ、これに６００ｋｃａｌのエネルギーを付加すべきであるとしている。しかしながら、体組成は妊娠期や産褥期において変化し、しかも斯かる変化には個人差があるにもかかわらず、付加されるエネルギー量が一定では、当該付加量が過大となる人も過少となる人も出てしまう。更に、そもそも、斯かる計算のベースとなっている基礎代謝量が、前掲特許文献１の如き方法で求められている場合には、授乳期の婦人一人一人に応じた基礎代謝量とはいえず、従って、算出されるエネルギー所要量も、個人差に応じた適切な値とは程遠くなってしまう可能性を否定できない。
【００１１】
本発明は、被測定者の除脂肪量データと年齢データとに基づいて基礎代謝量を算出し得る公知の基礎代謝量測定装置を改良することにより、授乳期の婦人の基礎代謝量を簡便に、且つ、個人差を加味して測定することが可能な基礎代謝量測定システムを提供することを目的とする。更に、授乳期にある婦人の１日あたりのエネルギー所要量についても、簡便に、且つ、個人差を加味して測定することが可能な基礎代謝量測定システムを提供することを目的とする。
【課題を解決するための手段】
【００１２】
本発明の基礎代謝量測定システムは、被測定者の年齢データを取得する年齢データ取得手段と、被測定者の除脂肪量データを取得する除脂肪量データ取得手段と、少なくともこれら除脂肪量データと年齢データとに基づいて被測定者の基礎代謝量データを算出する基礎代謝量データ算出手段とを備えてなる基礎代謝量測定システムであって、被測定者が授乳期にある場合に授乳前後の体重変化量データを取得する体重変化量データ取得手段と、取得された体重変化量データに基づいて１日あたりの母乳の分泌量データを算出する泌乳量データ算出手段と、算出された泌乳量データに基づいて母乳を産出するために代謝されるエネルギー量データを算出する泌乳代謝量データ算出手段とを更に備え、前記基礎代謝量データ算出手段が、被測定者が授乳期にある場合、少なくとも除脂肪量データと年齢データとに基づいて算出された被測定者の基礎代謝量データに、前記泌乳代謝量データ算出手段で算出された母乳を産出するために代謝されるエネルギー量データを加算して得られるデータを、被測定者の基礎代謝量データとするものである。
【００１３】
また、斯かる基礎代謝量測定システムにおいて、被測定者が授乳期にある場合に１日の授乳回数データを取得する授乳回数データ取得手段を更に備え、前記泌乳量データ算出手段が、前記体重変化量データ取得手段で取得された体重変化量データと、前記授乳回数データ取得手段で取得された授乳回数データとに基づいて、１日あたりの母乳の分泌量データを算出することとする。
【００１４】
また、斯かる基礎代謝量測定システムにおいて、前記体重変化量データ取得手段が、被測定者の体重データを取得する体重データ取得手段と、被測定者が授乳前である場合に前記体重データ取得手段で取得された体重データを保存する授乳前体重データ保存手段と、被測定者が授乳後である場合に前記体重データ取得手段で取得された体重データと前記授乳前体重データ保存手段に保存されている体重データとに基づいて授乳前後の体重変化量データを算出する体重変化量データ算出手段とを含んでなることとする。
【００１５】
また、斯かる基礎代謝量測定システムにおいて、前記除脂肪量データ取得手段が、被測定者の身長データを取得する身長データ取得手段と、被測定者の体重データを取得する体重データ取得手段と、被測定者の生体電気インピーダンスデータを取得するインピーダンスデータ取得手段と、少なくともこれら身長データと体重データとインピーダンスデータとに基づいて被測定者の除脂肪量データを算出する除脂肪量データ算出手段とを含んでなることとする。
【発明の効果】
【００１６】
本発明の基礎代謝量測定システムは、被測定者の授乳前後の体重変化量データに基づいて被測定者の１日あたりの母乳の分泌量データ（泌乳量データ）を算出し、この泌乳量データに基づいて被測定者の母乳を産出するために代謝されるエネルギー量（泌乳代謝量データ）を算出し、この泌乳代謝量データを、被測定者の年齢データと除脂肪量データとに基づいて算出される基礎代謝量データに加算して、この結果得られるデータを授乳期にある被測定者の基礎代謝量データとする。従って、授乳期の婦人の基礎代謝量を、授乳前後の体重変化量データという比較的取得し易いデータを用いて簡便に、且つ、母乳の分泌量について生じる個人差を加味して測定することが可能となる。また、斯かるシステムで測定した基礎代謝量をベースとすることにより、授乳期にある婦人の１日あたりのエネルギー所要量についても、簡便に、且つ、個人差を加味して測定することが可能となる。
【００１７】
ここで、泌乳量データを、授乳前後の体重変化量データと１日の授乳回数データとに基づいて算出する構成であれば、授乳の度に体重変化量データを取得する必要がなくなって、より簡便な基礎代謝量測定システムとすることができる。
【００１８】
また、体重変化量データ取得手段を、体重データ取得手段と、授乳前に取得された体重データを保存する授乳前体重データ保存手段と、この授乳前体重データと授乳後に取得された体重データとに基づいて授乳前後の体重変化量データを算出する体重変化量データ算出手段とを含んでなるように構成した場合には、体重データ取得手段で授乳前後の体重データを取得するだけの極めて簡便な操作によって授乳期の婦人の基礎代謝量を測定し得る基礎代謝量測定システムとすることができる。
【００１９】
また、除脂肪量データ取得手段を、身長データ取得手段と、体重データ取得手段と、インピーダンスデータ取得手段と、これら身長データと体重データとインピーダンスデータとに基づいて除脂肪量データを算出する除脂肪量データ算出手段とした場合には、取得するのが容易なデータを用いて除脂肪量データを求めることが可能となり、従ってより簡便な基礎代謝量測定システムとすることができる。
【発明を実施するための最良の形態】
【００２０】
本発明の基礎代謝量測定システムは、被測定者の年齢データを取得する年齢データ取得手段と、被測定者の除脂肪量データを取得する除脂肪量データ取得手段と、少なくともこれら除脂肪量データと年齢データとに基づいて被測定者の基礎代謝量データを算出する基礎代謝量データ算出手段とを備えてなる基礎代謝量測定システムであって、被測定者が授乳期にある場合に授乳前後の体重変化量データを取得する体重変化量データ取得手段と、取得された体重変化量データに基づいて１日あたりの母乳の分泌量データを算出する泌乳量データ算出手段と、算出された泌乳量データに基づいて母乳を産出するために代謝されるエネルギー量データを算出する泌乳代謝量データ算出手段とを更に備え、前記基礎代謝量データ算出手段が、被測定者が授乳期にある場合、少なくとも除脂肪量データと年齢データとに基づいて算出された被測定者の基礎代謝量データに、前記泌乳代謝量データ算出手段で算出された母乳を産出するために代謝されるエネルギー量データを加算して得られるデータを、被測定者の基礎代謝量データとするものである。
【００２１】
また、斯かる基礎代謝量測定システムにおいては、被測定者が授乳期にある場合に１日の授乳回数データを取得する授乳回数データ取得手段を更に備え、前記泌乳量データ算出手段が、前記体重変化量データ取得手段で取得された体重変化量データと、前記授乳回数データ取得手段で取得された授乳回数データとに基づいて、１日あたりの母乳の分泌量データを算出することが望ましい。
【００２２】
また、斯かる基礎代謝量測定システムにおいては、前記体重変化量データ取得手段が、被測定者の体重データを取得する体重データ取得手段と、被測定者が授乳前である場合に前記体重データ取得手段で取得された体重データを保存する授乳前体重データ保存手段と、被測定者が授乳後である場合に前記体重データ取得手段で取得された体重データと前記授乳前体重データ保存手段に保存されている体重データとに基づいて授乳前後の体重変化量データを算出する体重変化量データ算出手段とを含んでなることが望ましい。
【００２３】
また、斯かる基礎代謝量測定システムにおいては、前記除脂肪量データ取得手段が、被測定者の身長データを取得する身長データ取得手段と、被測定者の体重データを取得する体重データ取得手段と、被測定者の生体電気インピーダンスデータを取得するインピーダンスデータ取得手段と、少なくともこれら身長データと体重データとインピーダンスデータとに基づいて被測定者の除脂肪量データを算出する除脂肪量データ算出手段とを含んでなることが望ましい。
【実施例】
【００２４】
以下、本発明の実施例について、図１から図５までを参照して説明する。図１は、本発明の基礎代謝量測定システムが組込まれた生体測定装置１の外観斜視図である。図２は、この生体測定装置１の操作部の拡大図である。図３は、この生体測定装置１の電気回路構成を表す概略図である。図４は、この生体測定装置１で実行される制御処理プログラムのフローチャートである。図５は、この生体測定装置１における印刷出力例を表す図である。
【００２５】
本発明の基礎代謝量測定システムが組込まれた生体測定装置１（以下、単に「装置１」と略称することがある。）は、所謂生体電気インピーダンス法を利用して被測定者の体脂肪量、除脂肪量、体水分量、筋肉量、骨量等といった各種の体組成データを算出し得る体組成計であって、特に被測定者の除脂肪量データと年齢データとに基づいて基礎代謝量を算出し得る公知の体組成計を改良したものである。
【００２６】
斯かる装置１は、被測定者が起立して載るための載台２と、被測定者自身又はこの装置のオペレータ（以下、これらの者を「使用者」と総称することがある。）が各種データの入力や出力を行うための入出力ユニット３と、この入出力ユニット３を載台２に固定しつつ両者を電気的に結合するための配線等を内蔵した支柱４とで構成されている。
【００２７】
載台２の内部には、体重測定センサ２Ａとして、被測定者が載ることによって発生する荷重を検出するための所謂ロードセルが組込まれている。また、載台２の上面には、被測定者の左足裏に接触させるための電極５Ａ、５Ｂと、右足裏に接触させるための電極６Ａ、６Ｂとが、それぞれ絶縁された状態で配設されている。
【００２８】
入出力ユニット３には、使用者の操作を受付けるためのスイッチパネルを含む操作部７と、この装置１で取得される各種のデータを表示出力するための液晶画面を含む表示部８と、斯かるデータを印刷出力するためのサーマルプリンタを含む印刷部９とが組込まれている。ここで、操作部７のスイッチパネルには、この装置１を起動又は停止するための電源キー１０と、被測定者の着衣重量の設定を行うための風袋量設定キー１１と、日時の設定を行うための日時設定キー１２、被測定者の性別及び体型、又は被測定者が授乳期にあるかどうかの設定を行うためのステータス設定キー１３と、被測定者の身長や生年月日、出産日等の設定を行うためのテンキー１４とが配設されている。
【００２９】
また、入出力ユニット３の内部には、後述する各種の制御処理プログラムを実行するためのプロセッサや一時保存メモリを含む制御部１５と、前述の電極５Ａ及び電極６Ａに電気的に接続されてこれらの電極に交流定電流を供給するための定電流発生回路１６と、前述の電極５Ｂ及び電極６Ｂに電気的に接続されて両電極間の電位差を測定するための電圧測定回路１７と、制御部１５で実行される制御処理プログラムが格納された読出し専用のマスクメモリ及び斯かる制御処理の結果等を保存するための書換え可能なフラッシュメモリを含むメモリ１８と、制御部１５における制御処理を規律するための時計回路１９とが組込まれている。更に、入出力ユニット３には、制御部１５を始めとしてこの装置１で消費する電力を供給するための電源２０が内蔵されている。
【００３０】
そして、制御部１５は、体重測定センサ２Ａ、操作部７、表示部８、印刷部９、定電流発生回路１６、電圧測定回路１７、メモリ１８、時計回路１９のそれぞれと電気的に接続されており、被測定者の体重測定や使用者からの入力操作の受付け、電極５Ａ、６Ａに対する電流供給や電極５Ｂ、６Ｂ間の電位差測定、更には被測定者の生体電気インピーダンスの測定やこれに基づく体組成の算定、斯かる算定結果の表示出力や印刷出力といった制御処理を実行する。
【００３１】
以下、この装置１で実行される制御処理を、フローチャートを参照して説明する。使用者が電源キー１０を押下してこの装置１を起動すると、制御部１５は、図４のフローチャートで表される制御処理を実行する。
【００３２】
ステップＳ１では、初期化処理が実行される。即ち、例えば制御部１５の一時保存メモリに残留している前回測定時の一時データ等を消去すると共に、後述する授乳期モードのフラグをクリアする。この時、制御部１５では、時計回路１９で計時されている現在日時データが取得されると共に、風袋量の初期データ（例えば１．５ｋｇ）がメモリ１８から読み出されて取得され、それぞれが表示部８に表示される。
【００３３】
ステップＳ２では、日時設定キー１２が押下されたかどうかが確認され、押下された場合はステップＳ３を経てステップＳ４に進み、押下されない場合はステップＳ３を飛ばしてステップＳ４に進む。尚、使用者は、表示部８に表示されている現在日時データを変更する必要がなければ、日時設定キー１２を押下する必要はない。
【００３４】
ステップＳ３では、現在日時データが再取得される。即ち、制御部１５は、テンキー１４からの入力を受付け、使用者がテンキー１４を用いて日時データを入力すると、時計回路１９で計時されている現在日時がこの入力された日時データで置換される。以後、この入力された日時データが、現在日時データとして時計回路１９で引続き計時される。
【００３５】
ステップＳ４では、風袋量設定キー１１が押下されたかどうかが確認され、押下された場合はステップＳ５を経てステップＳ６に進み、押下されない場合はステップＳ５を飛ばしてステップＳ６に進む。尚、使用者は、表示部８に表示されている風袋量データを変更する必要がなければ、風袋量設定キー１１を押下する必要はない。
【００３６】
ステップＳ５では、被測定者の風袋量データが再取得される。即ち、制御部１５は、テンキー１４からの入力を受付け、使用者がテンキー１４を用いて風袋量データを入力すると、メモリ１８から読み出された風袋量の初期データがこの入力された風袋量データで置換される。この入力された風袋量データは、被測定者の実際の風袋量として一時保存メモリに保存され、後述する体重の測定処理に供される。
【００３７】
ステップＳ６では、被測定者の体重データが取得される。被測定者が載台２の上面に立つと、被測定者の体重に応じた荷重信号が、体重測定センサ２Ａから出力される。実際には、斯かる荷重信号を制御部１５で検出することで、このステップＳ６が開始されるものである。そして、検出された荷重信号に対応した重量データから風袋量データを差引くことで、被測定者の現在の体重データが算出される。尚、被測定者は、載台２の上面に起立したまま、この後の各種データの入力等の操作を行うことになる。
【００３８】
ステップＳ７では、被測定者のステータスデータが取得される。表示部８には、前記ステップＳ６で取得された体重データと共に、被測定者の性別及び体型の設定を促すサイン又はメッセージが表示され、制御部１５は、ステータス設定キー１３からの入力を受付ける。使用者がステータス設定キー１３に含まれる「男性スタンダード」「男性アスリート」「女性スタンダード」「女性アスリート」「授乳期」の５つのキースイッチの何れかを選択して押下すると、押下されたキースイッチに応じて被測定者のステータスデータが決定される。特に、「授乳期」のキースイッチが押下された場合には、後述する授乳期モードの制御処理を実行するためのフラグがセットされる。尚、このフラグは、前記ステップＳ１の初期化処理において予めクリアされている。
【００３９】
ステップＳ８では、授乳期モードのフラグがセットされているかどうかが確認される。このフラグがセットされている場合はステップＳ８１からステップＳ８７で構成される授乳期モードを実行するが、セットされていない場合はこれらのステップを飛ばしてステップＳ９に進むことになる。以下、ステップＳ８１からステップＳ８７で構成される授乳期モードについて説明する。
【００４０】
ステップＳ８１では、被測定者が授乳前の状態にあるか、或いは既に授乳を終えた授乳後の状態にあるかの判定が行われる。表示部８には、授乳期モードが選択された旨のサイン又はメッセージと、「１．授乳前」及び「２．授乳後」の選択肢とが表示され、制御部１５は、テンキー１４からの入力を受付ける。そして、使用者によるテンキー１４からの入力が「１．授乳前」の選択を示す場合はステップＳ８２に進み、「２．授乳後」の選択を示す場合はステップＳ８４に進むことになる。
【００４１】
ステップＳ８２では、前記ステップＳ６で取得された体重データが、授乳前体重データとしてメモリ１８に保存される。もしも、この装置１が複数の被測定者によって同時に使用される環境にある場合は、この授乳前体重データを、当該データの被測定者を特定するための識別番号等と共に保存するように構成しておくことが望ましく、且つ、可能である。
【００４２】
ステップＳ８３では、被測定者の産後日数データが取得される。表示部８には、被測定者の出産日の入力を促すサイン又はメッセージが表示され、制御部１５は、テンキー１４からの入力を受付ける。使用者がテンキー１４を用いて被測定者の出産日データを入力すると、この出産日データと現在日時データとに基づいて被測定者の産後日数データが算出される。また、これら出産日データと産後日数データとは、授乳前体重データとセットでメモリ１８に保存される。尚、出産日データの入力に代えて、産後日数データを直接入力するようにすることも可能である。
【００４３】
前記ステップＳ８１において授乳前の判定がなされた場合、この装置１は、ステップＳ８３の実行を以って一旦全ての処理を終了する。即ち、被測定者が授乳期にあり、且つ、授乳前の状態にある場合には、その時点の体重データを取得して保存するに止め、基礎代謝量その他の生体データについては、授乳後にあらためて測定するものである。もちろん、前記ステップＳ６で取得した体重データを表示部８に表示しても良いが、体重データは授乳後にもあらためて取得するので、両方のデータを表示することで被測定者に無用な混乱を生じせしめかねないため、この装置１においては、授乳前の状態で取得した体重データは、敢えて表示をしないこととしている。従って、ステップＳ８３の後、装置１の電源は遮断される。尚、この電源遮断に先立ち、又は電源遮断に代えて、授乳後の再測定を促すサイン又はメッセージを表示部８に表示させても良い。
【００４４】
一方、前記ステップＳ８１において「２．授乳後」が選択された場合には、ステップＳ８４に進む。ステップＳ８４では、授乳前後の体重変化量データが取得される。即ち、制御部１５では、授乳前の前記ステップＳ６で取得され、前記ステップＳ８２でメモリ１８に保存された授乳前体重データが読み出され、この授乳前体重データと、今回（即ち、授乳後）の前記ステップＳ６で取得された体重データとが比較され、両データの差分が体重変化量データとして算出される。尚、言うまでもなく、この授乳前後の体重変化量データは、授乳した母乳の量、即ち、１回の授乳における泌乳量を表すものである。
【００４５】
ステップＳ８５では、被測定者の１日の授乳回数データが取得される。表示部８には、被測定者の１日の授乳回数の入力を促すサイン又はメッセージが表示され、制御部１５は、テンキー１４からの入力を受付ける。使用者は、テンキー１４を用いて、被測定者の１日の授乳回数データを入力する。尚、この授乳回数データについては、この装置１の如く被測定者の実際の授乳回数を入力することが望ましいものではあるが、例えば、同一の被測定者において日毎の授乳回数に大きなバラツキがあって特定の日における授乳回数がその被測定者の平均的な授乳回数を代表していると言い切れない場合もあることを考慮すると、実際の授乳回数の入力に代えて、一般的な授乳回数データを予めメモリ１８に記憶させておき、これを読み出す構成とすることも可能且つ有益である。ここで、一般的な１日の授乳回数は、乳児の成長（即ち、産後の経過期間）に応じて変化することが知られており、概ね、生後０ヶ月においては７〜１０回程度、生後１〜２ヶ月においては６〜７回程度、生後３〜４ヶ月においては５〜６回程度、生後５〜６ヶ月においては４回程度、生後７〜８ヶ月においては３回程度がその目安である。従って、斯かる範囲において特に適切と考えられる授乳回数データを産後日数と関連付けて予めメモリ１８に記憶させておき、このステップＳ８５においては、前記ステップＳ８３で取得された産後日数に対応する授乳回数データを読み出すように構成しても良い。
【００４６】
ステップＳ８６では、被測定者の１日あたりの母乳の分泌量データ（泌乳量データ）が取得される。即ち、前記ステップＳ８４で取得された授乳前後の体重変化量データに、前記ステップＳ８５で取得された１日の授乳回数データを掛け合わせることで、当該被測定者の１日の泌乳量データが算出される。つまり、泌乳量データ＝体重変化量データ×授乳回数データとなる。
【００４７】
ステップＳ８７では、被測定者において母乳を産出するために代謝されるエネルギー量データ（泌乳代謝量データ）が取得される。この泌乳代謝量は、前掲非特許文献２で言うところの「乳汁分泌によって喪失されるエネルギー量」に相当するものであるが、この非特許文献２の開示に従えば、母乳中に含まれるエネルギー量は１ｍｌ中で平均０．６５ｋｃａｌであり、乳汁を産出するためのエネルギー効率は約８０％であるから、求めるべき泌乳代謝量データは、算定式：泌乳代謝量データ＝泌乳量データ×１０００×０．６５×１００／８０によって算出される。即ち、メモリ１８にはこの算定式が予め記憶されており、このステップＳ８７においては、この算定式に、前記ステップＳ８６で取得された被測定者の泌乳量データを代入することによって、被測定者の泌乳代謝量データが算出されるものである。尚、算定式中の１０００という数値は、前記ステップＳ８６で取得された泌乳量データの単位をｋｇからｍｌに換算するための数値である。
【００４８】
ステップＳ８１からステップＳ８７で構成される授乳期モードが終了し、又は前記ステップＳ８において授乳期モードのフラグが未セットであることが確認された場合には、ステップＳ９に進む。
【００４９】
ステップＳ９では、被測定者の年齢データが取得される。表示部８には、被測定者の生年月日の入力を促すサイン又はメッセージが表示され、制御部１５は、テンキー１４からの入力を受付ける。使用者がテンキー１４を用いて被測定者の生年月日データを入力すると、この生年月日データと現在日時データとに基づいて被測定者の年齢データが算出される。尚、生年月日データの入力に代えて、年齢データを直接入力するようにすることも可能である。
【００５０】
ステップＳ１０では、被測定者の身長データが取得される。表示部８には、被測定者の身長の入力を促すサイン又はメッセージが表示され、制御部１５は、テンキー１４からの入力を受付ける。使用者は、テンキー１４を用いて被測定者の身長データを入力すればよい。尚、テンキー１４による身長データ入力に代えて、例えば電気又は磁気を利用した位置センサを含む電子身長計をこの装置１に付加しておき、斯かる電子身長計で測定される身長データを制御部１５で受付けるようにすることも可能である。
【００５１】
ステップＳ１１では、被測定者の生活活動強度データが取得される。表示部８には、被測定者の生活活動強度データの入力を促すサイン又はメッセージが表示され、制御部１５は、テンキー１４からの入力を受付ける。使用者は、テンキー１４を用いて被測定者の生活活動強度データを入力すればよい。尚、生活活動強度とは、日常生活における運動量等を数段階に分けて指数化したもので、前掲非特許文献１を始めとして広く知られているものである。
【００５２】
ステップＳ１２では、被測定者の生体電気インピーダンスに起因してその身体に生じる電位差データが取得されると共に、被測定者の生体電気インピーダンスデータ（以下「ＢＩデータ」と略称することがある。）が取得される。即ち、前記ステップＳ６で被測定者が載台２の上面に起立すると、その左足裏が電極５Ａ、５Ｂに接触し、右足裏が電極６Ａ、６Ｂに接触する。（或いは、斯かる接触状態となるように起立する。）そして、被測定者の両足間には、定電流発生回路１６から電極５Ａ及び電極６Ａを介して交流定電流が供給され、身体のインピーダンスに応じた電位差が発生する。この両足間の電位差データが、電極５Ｂ及び電極６Ｂを介して電圧測定回路１７で検出される。また、定電流発生回路１６から被測定者の身体に供給される電流値データと電圧測定回路１７で検出された電位差データとを用い、オームの法則に基づいて被測定者の生体電気インピーダンスデータ（以下「ＢＩデータ」と略称することがある。）が算出される。
【００５３】
尚、この装置１においては被測定者の左右の足裏に接触する電極５Ａ、５Ｂ、６Ａ、６Ｂを用いて両足間の電位差データを取得しているが、左右の掌に接触する電極を用いて両手間の電位差データを取得し、又は掌に接触する電極と足裏に接触する電極とを用いて手足間の電位差データを取得するようにすることも可能である。或いは、身体に付着させることができる貼付型の電極を用いて、身体の任意の部位間において電位差データを取得することも可能である。また、ＢＩデータの算出については、抵抗値が既知で且つ異なる複数の基準抵抗を、身体に直列又は並列となるように電気回路中に配設しておき、各抵抗に起因して生じる電位差データを身体に生じる電位差データと共に取得し、取得された各電位差データと基準抵抗の抵抗値との比率に基づいて被測定者のＢＩデータを算出することも可能であり、この場合は身体に供給される電流値データが不明であってもＢＩデータを取得することができる。
【００５４】
ステップＳ１３では、被測定者の除脂肪量データが取得される。除脂肪量は体重から体脂肪量を差引いたものであり、体脂肪量は体重に体脂肪率を掛け合わせたものである。そして、体脂肪率は、前掲特許文献３又は４をはじめとして広く知られているように、少なくとも身長と体重と身体のインピーダンスとを変数として予め作成された回帰式を用いて算出することができる。即ち、このステップＳ１３では、前記ステップＳ６で取得された体重データと、前記ステップＳ１０で取得された身長データと、前記ステップＳ１２で取得されたＢＩデータとを斯かる回帰式に代入することによって、被測定者の体脂肪率データが算出され、この体脂肪率データを前記ステップＳ６で取得された体重データに掛け合わせることによって被測定者の体脂肪量データが算出され、この体脂肪量データを前記ステップＳ６で取得された体重データから差引くことによって被測定者の除脂肪量データが算出されるものである。尚、もちろん、体脂肪率データの算出に際しては、前記ステップＳ９で取得された被測定者の年齢データを補正パラメータとして加味してもよい。
【００５５】
ステップＳ１４では、被測定者の基礎代謝量データが取得される。前掲特許文献１及び２に開示されているように、基礎代謝量は、少なくとも除脂肪量と年齢とをパラメータとする推定式、より好ましくは、除脂肪量と体重と年齢とをパラメータとする推定式を用いて算出し得る。この装置１においては、メモリ１８に予め次の推定式：ＢＭＲ＝Ａ１×ＦＦＭ２＋Ｂ１×ＦＦＭ＋Ｃ１×（１／ＡＧＥ）＋Ｄ１×Ｗｔ＋Ｅ１（但し、ＢＭＲは基礎代謝量データを、ＦＦＭは除脂肪量データを、ＡＧＥは年齢データを、Ｗｔは体重データを、Ａ１、Ｂ１、Ｃ１、Ｄ１、Ｅ１は定数を表す。）が記憶されており、この推定式に、前記ステップＳ６で取得された体重データと、前記ステップＳ９で取得された年齢データと、前記ステップＳ１３で取得された除脂肪量データとが代入されて、被測定者の基礎代謝量データが算出されるものである。
【００５６】
尚、このステップＳ１４においては、上記推定式に代えて、前掲特許文献１及び２に開示された次の何れかの推定式を用いてもよい。
ＢＭＲ＝Ａ２×ＦＦＭ＋Ｂ２×（１／ＡＧＥ）＋Ｃ２
又は
ＢＭＲ＝Ａ３×ＦＦＭ２＋Ｂ３×ＦＦＭ＋Ｃ３×（１／ＡＧＥ）＋Ｄ３
又は
ＢＭＲ＝Ａ４×ＦＦＭ＋Ｂ４×（１／ＡＧＥ）＋Ｃ４×Ｗｔ＋Ｄ４
但し、ＢＭＲは基礎代謝量データを、ＦＦＭは除脂肪量データを、ＡＧＥは年齢データを、Ｗｔは体重データを、Ａ２、Ｂ２、Ｃ２、Ａ３、Ｂ３、Ｃ３、Ｄ３、Ａ４、Ｂ４、Ｃ４、Ｄ４は定数を表す。
【００５７】
更に、このステップＳ１４においては、基礎代謝量データのみならず、被測定者の体水分量データも算出されるものであるが、これは本発明の要旨には関係がないので説明は割愛する。また、この装置１では採用していないが、内臓脂肪面積、筋肉量、骨量等といった種々の体組成データを算出するように構成することも、当然に可能である。
【００５８】
ステップＳ１５では、授乳期モードのフラグがセットされているかどうかが再び確認される。このフラグがセットされている場合はステップＳ１６及びＳ１７に進んで授乳期の基礎代謝量データ及びエネルギー所要量データが算出されるが、セットされていない場合はステップＳ１８に進んで通常期のエネルギー所要量データが算出されることになる。
【００５９】
ステップＳ１６では、被測定者の基礎代謝量データが再取得される。即ち、前記ステップＳ１４で取得された基礎代謝量データは、被測定者が通常期にある場合に適した推定式によって算出されたものである。従って、被測定者が授乳期にあってこのステップＳ１６に進んできた場合には、前記ステップＳ１４で取得された基礎代謝量データに、前記ステップＳ８７で取得された泌乳代謝量データを加算し、この結果得られたデータを授乳期にある被測定者の基礎代謝量データとするものである。つまり、授乳期ＢＭＲ＝ＢＭＲ＋泌乳代謝量データ（但し、ＢＭＲは基礎代謝量データを表す。）となる。
【００６０】
ステップＳ１７では、被測定者の１日あたりのエネルギー所要量が取得される。妊娠期や授乳期でない通常期の場合、前掲非特許文献１をはじめとして広く知られているように、エネルギー所要量は、基礎代謝量に生活活動強度指数を掛け合わせることで算出し得る。一方、授乳期の場合は、この非特許文献１に従えば、通常期のエネルギー所要量に６００ｋｃａｌを加算することになる。或いは、前掲非特許文献２の開示に従えば、授乳活動そのものに費やされるエネルギー量は１日約１８０ｋｃａｌで、更に、妊娠中に蓄積された脂肪量（平均約３ｋｇ）を産後６ヶ月程度で消費して妊娠前の体重に戻すためには１日あたり平均１５０ｋｃａｌを消費すべきであることから、授乳期のエネルギー所要量は、通常期のエネルギー所要量に１８０ｋｃａｌを加算して更に１５０ｋｃａｌを差引くことによって算出される。この装置１においては、この非特許文献２の開示に従って予め作成しメモリ１８に記憶させた算定式：エネルギー所要量＝基礎代謝量データ×生活活動強度指数データ＋１８０−１５０に、前記ステップＳ１６で取得された被測定者の基礎代謝量データと、前記ステップＳ１１で取得された被測定者の生活活動強度指数データとを代入して、授乳期にある被測定者のエネルギー所要量を算出するものである。
【００６１】
一方、前記ステップＳ１５で授乳期モードのフラグが未セットであることが確認された場合には、ステップＳ１８において、前記ステップＳ１４で取得された被測定者の基礎代謝量データに前記ステップＳ１１で取得された被測定者の生活活動強度指数データを掛け合わせることによって、通常期にある被測定者のエネルギー所要量データを算出するものである。
【００６２】
ステップＳ１７又はステップＳ１８でエネルギー所要量データが取得された後は、ステップＳ１９に進み、ここまでの制御処理によって取得された被測定者の生体データを表示部８及び印刷部９から出力する。図５は、被測定者が授乳期にある場合の印刷出力例であって、この装置１を用いて取得された各種の生体データが、一覧表示されている。斯かる印刷が終了し、使用者が電源キー１０を再度押下するか、所定時間が経過すると、装置１の電源がオフとなり、全ての制御処理が終了する。
【００６３】
以上、説明してきたように、本発明の基礎代謝量測定システムが組込まれた生体測定装置１においては、主に操作部７と制御部１５とで年齢データ取得手段が構成され、主に操作部７と体重測定センサ２Ａと電極５Ａ、５Ｂ、６Ａ、６Ｂと定電圧発生回路１６と電圧測定回路１７と制御部１５とで除脂肪量データ取得手段が構成され、主に制御部１５とメモリ１８とで基礎代謝量データ算出手段が構成され、主に操作部７と体重測定センサ２Ａと制御部１５とメモリ１８とで体重変化量データ取得手段が構成され、主に制御手段１５で泌乳量データ算出手段及び泌乳代謝量データ算出手段が構成されており、基礎代謝量データ算出手段たる制御部１５が、ステップＳ８の如く被測定者が授乳期にある場合、ステップＳ１４の如く少なくとも除脂肪量データと年齢データとに基づいて算出された被測定者の基礎代謝量データに、ステップＳ８７の如く泌乳量データに基づいて算出された泌乳代謝量データを、ステップＳ１６の如く加算して、この結果得られたデータを被測定者の基礎代謝量データとするものである。
【００６４】
特に、この生体測定装置１においては、主に操作部７と制御部１５とで構成される授乳回数データ取得手段を更に備えており、泌乳量データ算出手段たる制御部１５が、ステップＳ８６の如く体重変化量データと授乳回数データとに基づいて泌乳量データを算出するものである。
【００６５】
また、この生体測定装置１においては、体重変化量データ取得手段が、主に体重測定センサ２Ａで構成される体重データ取得手段と、主に操作部７とメモリ１８とで構成される授乳前体重データ保存手段と、主に操作部７と制御部１５とで構成される体重変化量データ算出手段とを含んでなるものである。
【００６６】
また、この生体測定装置１においては、除脂肪量データ取得手段が、主に操作部７で構成される身長データ取得手段と、主に体重測定センサ２Ａで構成される体重データ取得手段と、主に電極５Ａ、５Ｂ、６Ａ、６Ｂと定電圧発生回路１６と電圧測定回路１７と制御部１５とで構成されるインピーダンスデータ取得手段と、主に制御部１５で構成されてステップＳ１３の如く少なくともこれら身長データと体重データとインピーダンスデータとに基づいて被測定者の除脂肪量データを算出する除脂肪量データ算出手段とを含んでなるものである。
【００６７】
尚、本発明は、以上の実施例の構成に限定される必要はなく、実施例と共に説明した如き種々の変形が可能であることはもとより、特許請求の範囲に記載の構成を逸脱しない範囲において、様々な実施の態様を取り得るものである。例えば、上記の実施例では採用していないが、この装置１で取得され又は算出された各種のデータを、その被測定者を特定するための氏名や識別番号、識別コード等といった情報とセットでメモリ１８や外部の記憶装置（装置１に対して着脱可能な記憶媒体や、記憶装置を内蔵したコンピュータシステム等であってよい。）に蓄積してゆくことも可能である。或いは、本発明の基礎代謝量測定システムは、単一の筐体を有する装置として実施するだけでなく、授乳期における基礎代謝量データを算出するための算定式や基礎データを含むプログラムが格納されたサーバーコンピュータと、当該サーバーコンピュータにアクセスして被測定者の授乳前後の体重変化量データ等の各種データを入力し得るクライアントコンピュータと、これらサーバーとクライアントとの間でデータ通信を可能とする通信ネットワークとで構成することも可能である。
【図面の簡単な説明】
【００６８】
【図１】本発明の基礎代謝量測定システムが組込まれた生体測定装置１の外観斜視図である。
【図２】この生体測定装置１の操作部の拡大図である。
【図３】この生体測定装置１の電気回路構成を表す概略図である。
【図４】この生体測定装置１で実行される制御処理プログラムのフローチャートである。
【図５】この生体測定装置１における印刷出力例を表す図である。
【符号の説明】
【００６９】
１  生体測定装置（基礎代謝量測定システム）
２  載台
２Ａ  体重測定センサ
３  入出力ユニット
４  支柱
５Ａ、５Ｂ、６Ａ、６Ｂ  電極
７  操作部
８  表示部
９  印刷部
１０  電源キー
１１  風袋量設定キー
１２  日時設定キー
１３  ステータス設定キー
１４  テンキー
１５  制御部
１６  定電流発生回路
１７  電圧測定回路
１８  メモリ
１９  時計回路
２０  電源
【図１】
2006304944.tif 000003
【図２】
2006304944.tif 000004
【図３】
2006304944.tif 000005
【図４】
2006304944.tif 000006
【図５】
2006304944.tif 000007